(57)【要約】【課題】  簡単な構成で安価に、しかも、充分なグランドレベルが得られ、ノイズ対策性能の優れた電気機器およびグランド接続構造を提供することを目的とする。【解決手段】視覚情報を表示画面２１に表示する液晶ディスプレ２と、当該液晶ディスプレ２を駆動する駆動回路を有するプリント回路基板３と、液晶ディスプレ２と、プリント回路基板３とを、電気的に接続するＦＰＣ４と、を備えた電気機器において、プリント回路基板３に設けられ、ＦＰＣ４が差し込まれるコネクタ３１と、プリント回路基板３に設けられたグランドパタン３２と、を更に備え、かつ、ＦＰＣ４は、グランド回路４２を有し、当該グランド回路４２のグランドパタン３２に対峙する部分を露出せしめ、当該グランド回路４２の露出部分４２ａと、グランドパタン３２とを接触するように構成する。【選択図】図２
2007243091.tif 000002
【特許請求の範囲】
【請求項１】
視覚情報を表示画面に表示する液晶ディスプレと、当該液晶ディスプレを駆動する駆動回路を有するプリント回路基板と、前記液晶ディスプレと、前記プリント回路基板とを、電気的に接続するフレキシブル配線基板と、前記プリント回路基板を取り付ける取り付け枠体と、を備えた電気機器において、
前記プリント回路基板に装着され、前記フレキシブル配線基板を、前記プリント回路基板に対して平行な方向から差し込むように形成してなる水平式のコネクタと、前記プリント回路基板の前記コネクタの接続用開口部側に設けられたグランドパタンと、前記取り付け枠体の前記グランドパタンに対向する位置に凸設された平面状の接圧部と、を更に備え、かつ、前記フレキシブル配線基板は、グランド回路を有し、当該グランド回路の前記グランドパタンに対峙する部分を露出せしめ、当該グランド回路の露出部分と、前記グランドパタンとを接触するように、前記グランドパタンと、前記接圧部とにより、前記フレキシブル配線基板を狭持したことを特徴とする電気機器。
【請求項２】
視覚情報を表示画面に表示する液晶ディスプレと、当該液晶ディスプレを駆動する駆動回路を有するプリント回路基板と、前記液晶ディスプレと、前記プリント回路基板とを、電気的に接続するフレキシブル配線基板と、を備えた電気機器において、
前記プリント回路基板に設けられ、前記フレキシブル配線基板が差し込まれるコネクタと、前記プリント回路基板に設けられたグランドパタンと、を更に備え、かつ、前記フレキシブル配線基板は、グランド回路を有し、当該グランド回路の前記グランドパタンに対峙する部分を露出せしめ、当該グランド回路の露出部分と、前記グランドパタンとを接触するように構成したことを特徴とする電気機器。
【請求項３】
前記プリント回路基板を取り付ける取り付け枠体を更に備え、当該取り付け枠体に、前記グランドパタンに対向する位置に凸設された平面状の接圧部を形成し、当該前記接圧部と、前記グランドパタンとにより、前記グランド回路の露出部分と、前記グランドパタンとが接触するように、前記フレキシブル配線基板を狭持したことを特徴とする請求項２に記載の電気機器。
【請求項４】
前記コネクタは、前記フレキシブル配線基板を、前記プリント回路基板に対して平行な方向から差し込むように形成した水平式であることを特徴とする請求項２に記載の電気機器。
【請求項５】
前記グランドパタンは、前記プリント回路基板の前記コネクタと同一平面状の端部に形成したことを特徴とする請求項１乃至請求項４のいずれかに記載の電気機器。
【請求項６】
前記コネクタが、前記フレキシブル配線基板を、前記プリント回路基板に対して垂直な方向から差し込む垂直式のコネクタであって、当該コネクタと、前記グランドパタンとの距離を、前記フレキシブル配線基板を屈曲させたときに当該フレキシブル配線基板にストレスが加わらない値に設定したことを特徴とする請求項２、請求項３または請求項５のいずれかに記載の電気機器。
【請求項７】
前記液晶ディスプレは、前記コネクタと反対側の前記プリント回路基板に対向するように配設され、前記液晶ディスプレと、前記プリント回路基板とが、当該プリント回路基板の端部を跨ぐように屈曲した前記フレキシブル配線基板によって接続されていることを特徴とする請求項１乃至請求項６のいずれかに記載の電気機器。
【請求項８】
前記グランドパタンは、捨て基板からなるプリント基板装置に形成したことを特徴とする請求項１乃至請求項７のいずれかに記載の電気機器。
【請求項９】
視覚情報を表示画面に表示する液晶ディスプレと、当該液晶ディスプレを駆動する駆動回路を有するプリント回路基板とを、電気的に接続するフレキシブル配線基板のグランド接続構造において、
前記プリント回路基板に、前記フレキシブル配線基板が差し込まれるコネクタを装着するとともに、前記プリント回路基板に、グランドパタンを形成し、かつ、前記フレキシブル配線基板は、グランド回路を有し、当該グランド回路の前記グランドパタンに対峙する部分を露出せしめ、当該グランド回路の露出部分と、前記グランドパタンとを接触するように構成したことを特徴とするグランド接続構造。
【請求項１０】
前記プリント回路基板を取り付ける取り付け枠体を更に備え、当該取り付け枠体に、前記グランドパタンに対向する位置に凸設された平面状の接圧部を形成し、当該接圧部と、前記グランドパタンとにより、前記グランド回路の露出部分と、前記グランドパタンとが接触するように、前記フレキシブル配線基板を狭持したことを特徴とする請求項９に記載のグランド接続構造。
【請求項１１】
前記コネクタは、前記フレキシブル配線基板を、前記プリント回路基板に対して平行な方向から差し込むように形成した水平式であることを特徴とする請求項９に記載のグランド接続構造。
【発明の詳細な説明】
【技術分野】
【０００１】
本発明は、画像や文字などの視覚情報を表示画面に表示する液晶ディスプレ（液晶パネルとも言う：ＬＣＤ）を備えた、例えば、プリンタ、コピー機、デジタルカメラ、電話、ファークス、テレビジョン、モニターなどの電気機器およびグランド接続構造に関し、特に、機器本体内において、液晶ディスプレと、プリント回路基板と、を接続するフレキシブル配線基板（以下単に、ＦＰＣと称す。）のグランド接続構造に関するものである。
【背景技術】
【０００２】
従来から、この種電気機器においては、液晶ディスプレと、この液晶ディスプレを駆動する駆動回路を備えたプリント回路基板とを、複数の信号線回路およびグランド回路を有するＦＰＣにより接続している。とろが、周知のように、ＦＰＣは、ノイズを発生し易く、また、外部からのノイズの影響を受け易いことから、効果的なノイズ対策が必要である。
【０００３】
この対策として、従来、例えば、ＦＰＣのコネクタ接続両側方のグランド用パッド部から、導電性クッションを介してプリント回路基板のシールドケースに導通するようにしたものがある(例えば、特許文１参照）。また、金属筐体に形成した凸部と、モールド筐体に形成した凹部との間に、ＦＰＣを挟持し、金属筐体の凸部にＦＰＣを接触するようにしたものがある(例えば、特許文献２参照）。
【０００４】
また、ＦＰＣの表面を、合成樹脂に導電性粒子を混合した溶液でコーティングし、使用時に接地できる電磁遮蔽層を形成したものがある(例えば、特許文献３参照）。また、ＦＰＣに電磁波障害（ＥＭＩ）対策用の金属膜を設け、この金属膜を、保護板を介して保持部により、背面ケース側に押し付けるようにしたものがある(例えば、特許文献４参照）。
更に、ＦＰＣと、プリント回路基板との両コネクタの外周を、導電体のコネクタシールドで被覆し、コネクタシールドと、ＦＰＣまたはプリント回路基板の接地ラインとを接続するようにしたものがある(例えば、特許文献５参照）。
【特許文献１】特開２００６−５１５１号公報
【特許文献２】特開２００５−５５５１２号公報
【特許文献３】特開２００３−１７８１７号公報
【特許文献４】特開２００２−３３３６０６号公報
【特許文献５】特開平１０−７４５５０号公報
【発明の開示】
【発明が解決しようとする課題】
【０００５】
しかし、前述の特許文献１記載の構成では、別途、高価な導電性クッションが必要であるとともに、この導電性クッションをケースの内側面に貼り付ける作業工程が増加し、コストがアップするなどといった問題があった。また、特許文献２記載の構成では、金属筐体およびモールド筐体の夫々に凹凸部を形成する必要がある他、金属筐体の鋭利な凸部によりＦＰＣを局部的に押し圧しているので、ＦＰＣに過度のストレスを与えるなどといった問題があった。また、特許文献３記載の構成では、ＦＰＣの表面に、特別に、合成樹脂に導電性粒子を混合した溶液でコーティングする必要があり、コーティング作業工程が増加し、コストがアップし、かつ、別途、グランド接続を充分に行う必要がるなどといった問題があった。また、特許文献４記載の構成では、ＦＰＣに金属膜を設ける必要があるとともに、背面ケースを切り起こして保持部を形成する必要がある他、別途、保護板を必要とし、部品点数が増加し、かつ、作業工程が増加するので、コストがアップするなどといった問題があった。更に、特許文献５記載の構成では、導電体のコネクタシールが必要であるとともに、コネクタシールでコネクタの外周を被覆する被覆作業工程が増加するので、コストがアップするなどといった問題があった。
【０００６】
本発明は、上述した問題を解決するためになされたものであり、簡単な構成で安価に、しかも、充分なグランドレベルが得られ、ノイズ対策性能の優れた電気機器およびグランド接続構造を提供することを目的とする。
【課題を解決するための手段】
【０００７】
かかる目的を達成するため、本発明では、視覚情報を表示画面に表示する液晶ディスプレと、当該液晶ディスプレを駆動する駆動回路を有するプリント回路基板と、液晶ディスプレとプリント回路基板とを電気的に接続するＦＰＣと、プリント回路基板を取り付ける取り付け枠体と、を備えた電気機器において、プリント回路基板に装着され、ＦＰＣを、プリント回路基板に対して平行な方向から差し込むように形成してなる水平式のコネクタと、プリント回路基板のコネクタの接続用開口部側に設けられたグランドパタンと、取り付け枠体の前記グランドパタンに対向する位置に凸設された平面状の接圧部と、を更に備え、かつ、ＦＰＣは、グランド回路を有し、当該グランド回路のグランドパタンに対峙する部分を露出せしめ、当該グランド回路の露出部分と、グランドパタンとを接触するように、グランドパタンと、接圧部とにより、ＦＰＣを狭持する。
【０００８】
この構成によれば、ＦＰＣが平面状の接圧部と、グランドパタンとにより、狭持されているので、グランド回路の露出部分が、平面状の接圧部によりグランドパタン側に押し付けられて面接触している。従って、より充分な接地レベルが得られ。しかも、その構成は、極めて簡単で、従来のような追加部品も必要でなく、製造コストを低減できる。更に、水平式のコネクタを用いているので、ＦＰＣをプリント回路基板に対して平行な方向からコネクタに接続すれば、グランド回路の露出部分と、グランドパタンとを面接触させることができ、ＦＰＣに余分なストレスを与えることない。
【０００９】
また、本発明においては、視覚情報を表示画面に表示する液晶ディスプレと、当該液晶ディスプレを駆動する駆動回路を有するプリント回路基板と、液晶ディスプレと、プリント回路基板とを、電気的に接続するＦＰＣと、を備えた電気機器において、プリント回路基板に設けられ、ＦＰＣが差し込まれるコネクタと、プリント回路基板に設けられたグランドパタンと、を更に備え、かつ、ＦＰＣは、グランド回路を有し、当該グランド回路のグランドパタンに対峙する部分を露出せしめ、当該グランド回路の露出部分と、グランドパタンとを接触するように構成する。
【００１０】
この構成によれば、ＦＰＣのグランド回路の露出分と、プリント回路基板のグランドパタンとは、面接触しているので、充分な接地レベルが得られる。しかも、その構成は、極めて簡単で、従来のような追加部品も必要でなく、製造コストを低減できる。
【００１１】
また、本発明においては、プリント回路基板を取り付ける取り付け枠体を更に備え、当該取り付け枠体に、グランドパタンに対向する位置に凸設された平面状の接圧部を形成し、当該接圧部と、グランドパタンとにより、グランド回路の露出部分と、グランドパタンとが接触するように、ＦＰＣを狭持する。
【００１２】
この構成によれば、ＦＰＣが平面状の接圧部と、グランドパタンとにより、狭持されているので、グランド回路の露出部分が、平面状の接圧部によりグランドパタン側に押し付けられている。従って、より充分な接地レベルが得られ、都合が良い。
【００１３】
また、本発明においては、コネクタは、ＦＰＣを、プリント回路基板に対して平行な方向から差し込むように形成した水平式とする。
【００１４】
この構成によれば、水平式のコネクタを用いているので、ＦＰＣをプリント回路基板に対して平行な方向からコネクタに接続すれば、ＦＰＣに余分なストレスを与えることなく、グランド回路の露出部分と、グランドパタンとを面接触させることができ、都合が良い。
【００１５】
また、本発明においては、グランドパタンは、プリント回路基板のコネクタと同一平面状の端部に形成する。
【００１６】
この構成によれば、グランドパタンが、プリント回路基板のコネクタと同一平面状の端部に形成されているので、殊更、ＦＰＣにストレスを与えることなく、グランド回路の露出部分と、グランドパタンとを面接触させることができ、都合が良い。
【００１７】
また、本発明においては、コネクタが、ＦＰＣを、プリント回路基板に対して垂直な方向から差し込む垂直式のコネクタであって、当該コネクタと、グランドパタンとの距離を、ＦＰＣを屈曲させたときに当該ＦＰＣにストレスが加わらない値に設定する。
【００１８】
この構成によれば、垂直式のコネクタであっても、当該コネクタと、グランドパタンとの距離が、ＦＰＣを屈曲させたときに当該ＦＰＣにストレスが加わらない値に設定されているので、殊更、ＦＰＣにストレスを与えることなく、グランド回路の露出部分と、グランドパタンとを面接触させることができ、都合が良い。
【００１９】
また、本発明においては、液晶ディスプレは、コネクタと反対側のプリント回路基板に対向するように配設され、液晶ディスプレと、プリント回路基板とが、当該プリント回路基板の端部を跨ぐように屈曲したＦＰＣによって接続する。
【００２０】
この構成によれば、液晶ディスプレが、コネクタと反対側のプリント回路基板に対向するように配設され、液晶ディスプレと、プリント回路基板とが、当該プリント回路基板の端部を跨ぐように屈曲したＦＰＣにより接続されている。従って、ＦＰＣは、より自然な状態で屈曲され、この屈曲に伴って、グランド回路の露出部分と、グランドパタンとを面接触させることができ、都合が良い。
【００２１】
また、本発明においては、グランドパタンは、捨て基板からなるプリント回路基板に形成する。
【００２２】
本明細書において、「捨て基板」とは、原材料となる基板本体から表面に電子部品を実装したメイン基板を取り出す場合に、取り出すメイン基板の形状等の理由から基板本体の周縁などに残る部分や複数の開口部を形成するための部分、更には、デットスペースとして残る部分などをいい、通常廃棄される部分や電子部品が実装されない部分をいう。
【００２３】
この構成によれば、プリント回路基板は、通常廃棄される捨て基板を利用している。このため、製造コストを増大させることなく上述の効果を得ることができる。加えて、廃材を利用するため、省資源および環境保全の観点からも好ましい効果を得ることができる。
【００２４】
また、本発明においては、視覚情報を表示画面に表示する液晶ディスプレと、当該液晶ディスプレを駆動する駆動回路を有するプリント回路基板とを、電気的に接続するＦＰＣのグランド接続構造において、プリント回路基板に、ＦＰＣが差し込まれるコネクタを装着するとともに、プリント回路基板に、グランドパタンを形成し、かつ、ＦＰＣは、グランド回路を有し、当該グランド回路のグランドパタンに対峙する部分を露出せしめ、当該グランド回路の露出部分と、グランドパタンとを接触するように構成する。
【００２５】
この構成によれば、ＦＰＣのグランド回路の露出分と、プリント回路基板のグランドパタンとは、面接触しているので、充分な接地レベルが得られる。しかも、その構成は、極めて簡単で、従来のような追加部品も必要でなく、製造コストを低減できる。
【００２６】
また、本発明においては、プリント回路基板を取り付ける取り付け枠体を更に備え、当該取り付け枠体に、グランドパタンに対向する位置に凸設された平面状の接圧部を形成し、当該接圧部と、グランドパタンとにより、グランド回路の露出部分と、グランドパタンとが接触するように、ＦＰＣを狭持する。
【００２７】
この構成によれば、ＦＰＣが平面状の接圧部と、グランドパタンとにより、狭持されているので、グランド回路の露出部分が、平面状の接圧部によりグランドパタン側に押し付けられている。従って、より充分な接地レベルが得られ、都合が良い。
【００２８】
更に、コネクタは、ＦＰＣを、プリント回路基板に対して平行な方向から差し込むように形成した水平式とする。
【００２９】
この構成によれば、水平式のコネクタを用いているので、ＦＰＣをプリント回路基板に対して平行な方向からコネクタに接続すれば、ＦＰＣに余分なストレスを与えることなく、グランド回路の露出部分と、グランドパタンとを面接触させることができ、都合が良い。
【発明の効果】
【００３０】
本発明によれば、極めて簡単な構成により、ＦＰＣのグランド回路と、プリント回路基板に設けたグランドパタンとが面接触し、充分なグランドレベルが得られ、ノイズ対策性能の優れた電気機器およびグランド接続構造を得ることができる。
【発明を実施するための最良の形態】
【００３１】
（第１実施形態）
以下、本発明の第１実施形態を図１乃至図６に基づいて説明する。図１は、本発明の第１実施形態に係る電気機器の一例であるプリンタの概略構成を示す概略構成図、図２は、図１に示すプリンタに用いられる液晶ディスプレとプリント回路基板とのグランド接続構造を示す斜視図、図３は、プリント回路基板とＦＰＣとのグランド接続構造を示す側面図、図４は、ＦＰＣの要部の一例を示す平面図、図５は、プリント回路基板をプリンタ本体の取り付け枠体に取り付けた状態を示す側面図である。図６は、原材料となる基板本体から図２に示すようなプリント回路基板を、取り出す状態を説明するための説明図である。
【００３２】
図１に示すように、この電気機器であるプリンタ１は、例えば、デジタルカメラやパソコンなどから入力される画像データを基に記録用紙Ｐに画像を記録するものである。プリンタ１は、記録用紙Ｐが載置されるペーパレスト１１と、記録用紙Ｐを搬送する給紙ローラ１２およびフィードローラ１３と、記録用紙Ｐに画像を記録する記録ヘッド１４と、画像記録後の記録用紙Ｐを受止める排紙トレイ１５と、給紙ローラ１２、フィードローラ１３、記録ヘッド１４および、後述する液晶ディスプレ２を駆動する駆動回路を有するプリント回路基板３などからなる、図示しない制御手段を内蔵する外装ケース１６とを備える。外装ケース１６には、電源用スイッチや、印刷指示入力用のプリントキーなどを備えた操作部１７と、プリンタ１で操作可能な各機能、用紙詰まりなどのトラブル状況などの画像や文字などの視覚情報を表示画面に表示する液晶ディスプレ２が設けられている。
【００３３】
かかる構成により、例えば、デジタルカメラやパソコンなどから入力される画像データを基に記録用紙Ｐに画像を記録することが可能となる。更に、液晶ディスプレ２により操作可能な各機能、用紙詰まりなどのトラブル状況などを把握することができる。
【００３４】
而して、本発明に従い、視覚情報を表示画面に表示する液晶ディスプレ２と、この液晶ディスプレ２を駆動する駆動回路を有するプリント回路基板３とは、例えば、図２に示すようにＦＰＣ４により電気的に接続され、制御手段からの信号に基づいて、プリント回路基板３の駆動回路が駆動され、これに伴って、液晶ディスプレ２の表示画面２１に視覚情報を表示するように構成されている。
【００３５】
プリント回路基板３には、図２および図３に示すように、ＦＰＣ４がプリント回路基板３に対して平行な方向から接続用開口部３１ａに差し込む方式、所謂、水平式のコネクタが装着されている。また、プリント回路基板３のコネクタ３１と同一面であって、コネクタ３１の接続用開口部３１ａ側の端部には、グランドパタン３２が設けられている。また、ＦＰＣ４は、図４に示すように、複数の信号線回路４１ａ〜４１ｄと、通常、これら複数の信号線回路４１ａ〜４１ｄよりも幅の広いグランド回路４２と有し、その外周部分が絶縁性の合成樹脂などからなる絶縁層４３で覆われている。そして、ＦＰＣのグランド回路４２のグランドパタン３２に対峙する部分は、絶縁層４３が形成されず、グランド回路４２の一部４２ａが露出している（以下、露出部分と称す。）。この露出部分４２ａは、ＦＰＣ４を製造する際に、予め、絶縁層４３を設けないように形成しても、或いは、絶縁層４３が形成されたＦＰＣ４の当該部分を剥離するなどして形成してもよい。ＦＰＣ４の一端は、コネクタ３１の接続用開口部３１ａに挿入され、図示しないロック機構によりロックされ、信号線回路４１ａ〜４１ｄおよびグランド回路４２は、プリント回路基板３に形成された駆動回路に電気的に接続されている。ＦＰＣ４の他端は、液晶ディスプレ２接続され、信号線回路４１ａ〜４１ｄと、図示しない電極とが電気的に接続されているとともに、グランド回路４２は、例えば、液晶ディスプレ２の金属枠２２（ベゼル）と接続されている。このように、コネクタ３２として、ロック機構を有するものを用いると、組立作業時や、使用中などにＦＰＣ４がコネクタ３２より抜けることがないので、都合が良い。
【００３６】
このように構成された、プリント回路基板３は、例えば、図５に示すように、外装ケース１６内に設けられた、プリント回路基板３を取り付ける取り付け枠体５の支持部５１に、図示しないがビスやボルトなどの固着具により固着されている。この取り付け枠体５のグランドパタンに対向する位置には、平面状の接圧部５２が凸設されている。この構成により、ＦＰＣ４は、グランドパタン３２と、接圧部５２とにより、狭持され、従って、露出部分４２ａは、グランドパタン３２と面接触する。また、液晶ディスプレ２は、図示しないが、コネクタ３１と反対側のプリント回路基板３に対向する位置に配設され、かつ、外装ケース１６の内側において、表示画面２１が露出するように装着されている。この構成により、ＦＰＣ４は、プリント回路基板３の端部３３を跨ぐように屈曲した状態で、液晶ディスプレ２と、プリント回路基板３とを接続する。
【００３７】
プリント回路基板３は、例えば、図６に示すような捨て基板Ｂを用いることができる。例えば、図２に示すように、コネクタ３１が装着され、当該コネクタ３１の接続用開口部３１ａ側の端部に、所望の平面状のグランドパタン３２を形成すればよい。グランドパタン３２を形成するには、例えば、メイン基板６に、所定のプリントパタンなどの回路を作成する際、同時に製作すればよい。このように同時にプリントパタンとグランドパタン３２とを作成すれば、殊更、作業工程が増加することがないので、都合が良い。
【００３８】
次に、図６に基づいて、プリント回路基板３を原材料となる基板本体Ａから取り出す状態を説明する。基板本体Ａは、プリント配線板などを製造する際に材料となる板材であって、例えば、紙フェノール（紙を基材としてフェノール樹脂を含浸させたプリプレグを積層、硬化させたもの）からなる。基板本体Ａからは、図示しないが、表面に所定のプリントパタンなどの回路が形成され、表面に電子部品を実装するメイン基板６として切り出される。しかし、取り出すメイン基板６の形状などの理由から、基板本体Ａの周縁などに残る部分や複数の開口部を形成するための部分、更にはデットスペースとして残る部分などメイン基板６の切れ端としての捨て基板Ｂが残る。この捨て基板Ｂは、通常、プリントパタンなどの回路が施されない状態で、そのまま放置されるか、捨てられてしまう。図２に示す捨て基板Ｂからなるプリント回路基板３は、このような廃材に、所定の下パターンやグランドパタン３２を形成して、基板本体Ａから得たものである。
【００３９】
以上の構成による本実施形態ではＦＰＣ３が平面状の接圧部５２と、グランドパタン３２とにより、狭持されているので、グランド回路４２の露出部分４２ａが、平面状の接圧部５２によりグランドパタン３２側に押し付けられて面接触している。従って、より充分な接地レベルが得られ。しかも、その構成は、極めて簡単で、従来のような追加部品も必要でなく、製造コストを低減できる。また、本発明者の実験によれば、外部からノイズを加えて液晶ディスプレ２の表示状態を観察する、所謂、イミニティ試験、および、セット全体からでるノイズ量を計測する、所謂、ラジェーション試験において、極めて好ましい結果が得られた。
【００４０】
また、水平式のコネクタ３１を用いているので、ＦＰＣ４をプリント回路基板３に対して平行な方向からコネクタ３１に接続すれば、グランド回路４２の露出部分４２ａと、グランドパタン３２とを面接触させることができ、ＦＰＣ４に余分なストレスを与えることなく、都合が良い。
【００４１】
また、グランドパタン３２が、プリント回路基板３のコネクタ３１と同一平面状の端部に形成されているので、殊更、ＦＰＣ４にストレスを与えることなく、グランド回路４２の露出部分４２ａと、グランドパタン３２とを面接触させることができ、都合が良い。
【００４２】
また、液晶ディスプレ２が、コネクタ３１と反対側のプリント回路基板３に対向するように配設され、液晶ディスプレ２と、プリント回路基板３とが、当該プリント回路基板３の端部３３を跨ぐように屈曲したＦＰＣ４により接続されている。従って、ＦＰＣ４は、より自然な状態で屈曲され、この屈曲に伴って、グランド回路４２の露出部分４２ａと、グランドパタン３２とを面接触させることができ、都合が良い。
【００４３】
また、プリント回路基板３２は、通常廃棄される捨て基板Ｂを利用している。このため、製造コストを増大させることなく上述の効果を得ることができる。加えて、廃材を利用するため、省資源および環境保全の観点からも好ましい効果を得ることができる。
【００４４】
（第２実施形態）
次に、本発明の第２実施形態について図７を参照しながら説明する。図７は、本発明の第２実施形態に係るグランド接続構造を示す要部側面図である。なお、図７において、上述した図１乃至図６と同じ符号を付した部分は、略同一のものを示すため、ここでは詳細な説明は省略する。以下、上述した実施形態との相違点を中心に説明する。
【００４５】
本実施形態では、図７に示す様に、例えば、コネクタ３１として、ＦＰＣ４を、プリント回路基板３に対して垂直な方向から接続用開口部３１ａに差し込む方式、所謂、垂直式のコネクタ３１を用いている。そして、コネクタ３１と、グランドパタン３２との距離Ｌを、ＦＰＣ４を屈曲させたときに当該ＦＰＣ４にストレスが加わらない値に設定する。この距離Ｌは、例えば、コネクタ３１の高さや、ＦＰＣ４の厚みなどを考慮することにより適宜設定することができるが、通常、２０ｍｍ〜３０ｍｍ程度以上あれば充分である。
【００４６】
以上の構成による本実施形態よれば、上述した実施形態と同様の作用効果を奏する他、コネクタ３１が垂直式であっても、当該コネクタ３１と、グランドパタン３２との距離が、ＦＰＣ４を屈曲させたときに当該ＦＰＣ４にストレスが加わらない値に設定されているので、殊更、ＦＰＣ４にストレスを与えることなく、グランド回路４２の露出部分４２ａと、グランドパタン３２とを面接触させることができ、都合が良い。
【００４７】
なお、上述した実施形態は、本発明の好適な実施例であるが、本発明はこれに限定されるものではなく、本発明の要旨を逸脱しない範囲において、種々変形実施可能である。
【００４８】
例えば、上述の実施形態では、プリンタを例に挙げて説明したが、本発明は、例えば、コピー機、デジタルカメラ、電話、ファークス、テレビジョン、モニターなどの電気機器およびこれらのグランド接続構造に対しても適用可能である。
【００４９】
また、上述の実施形態では、プリント回路基板３に設けるグランドパタン３２を、コネクタ３１が装着される面と同一面に形成したが、コネクタ３１とは、反対側の面に形成しても良く、また、製造工程上可能なら、プリント回路基板３の端部３３に、例えば、半円球状に形成してもよい、のは勿論である。
【００５０】
更に、グランドパタン３２の形状は、上面が平行な平面状に限らず、要は、グランドパタン３２と、グランド回路４２の露出部分４２ａとが、面接触するような形状であれば良く、例えば、適当な円弧を持った形状でもよい、のは勿論である。
【図面の簡単な説明】
【００５１】
【図１】本発明の第１実施形態に係る電気機器の一例であるプリンタの概略構成を示す概略構成図である。
【図２】図１に示すプリンタに用いられる液晶ディスプレとプリント回路基板とのグランド接続構造を示す斜視図である。
【図３】プリント回路基板とＦＰＣとのグランド接続構造を示す側面図である。
【図４】ＦＰＣの要部の一例を示す平面図である。
【図５】プリント回路基板をプリンタ本体の取り付け枠体に取り付けた状態を示す側面図である。
【図６】図６は、原材料となる基板本体から図２に示すようなプリント回路基板を、取り出す状態を説明するための説明図である。
【図７】本発明の第２実施形態に係るグランド接続構造を示す要部側面図である。
【符号の説明】
【００５２】
１      電気機器（プリンタ）
２      液晶ディスプレ
２１    表示画面
３      プリント回路基板
３１    コネクタ
３１ａ  接続用開口部
３２    グランドパタン
３３    端部
４      フレキシブル配線基板（ＦＰＣ）
４２    グランド回路
４２ａ  露出部分
５      取り付け枠体
５２    接圧部
【図１】
2007243091.tif 000003
【図２】
2007243091.tif 000004
【図３】
2007243091.tif 000005
【図４】
2007243091.tif 000006
【図５】
2007243091.tif 000007
【図６】
2007243091.tif 000008
【図７】
2007243091.tif 000009